(57)【特許請求の範囲】
【請求項１】
番組について、番組内容の概要を表す解説文、出演者を表す出演者情報、番組名の少なくとも１つを含む番組情報を受信する番組情報受信手段と、
前記番組情報を記憶する番組情報記憶手段と、
前記番組情報記録手段に記録された全ての番組に関する番組情報から解説文を構成する単語、出演者情報、番組名の少なくとも１つを単語情報として切り出す切り出し手段と、
前記切り出し手段が切り出した単語情報から単語、出演者情報、及び番組名の少なくとも１つについて、その出現頻度を計数する出現頻度計数手段と、
前記出現頻度計数手段で計数した、その出現頻度の高い順に前記単語情報をモニタに表示する表示手段と、
インターネットに接続するインターネット接続手段と、
前記モニタに表示された単語情報のうち、ユーザが情報選択手段によって選択した単語情報を検索キーとして、前記インターネット接続手段で接続されたインターネット上の検索エンジンに入力して、前記選択された単語情報を含むホームページを検索する検索手段と、
前記検索手段で検索した前記単語情報を含むホームページに関する情報を前記モニタに表示する検索表示手段とを備えるテレビ受信装置。
【請求項２】
番組情報を表示するモニタと、
番組について、番組内容の概要を表す解説文、出演者を表す出演者情報、番組名の少なくとも１つを含む番組情報を受信する番組情報受信手段と、
前記番組情報を記憶する番組情報記憶手段と、
前記番組情報記録手段に記録された全ての番組に関する番組情報から解説文を構成する単語、出演者情報、番組名の少なくとも１つを単語情報として切り出す切り出し手段と、
前記切り出し手段が切り出した単語情報から単語、出演者情報、及び番組名の少なくとも１つについて、その出現頻度を計数する出現頻度計数手段と、
前記出現頻度計数手段で計数した、その出現頻度の高い順に前記単語情報をモニタに表示する表示手段と、
インターネットに接続するインターネット接続手段と、
前記モニタに表示された単語情報のうち、ユーザが情報選択手段によって選択した単語情報を検索キーとして、前記インターネット接続手段で接続されたインターネット上の検索エンジンに入力して、前記選択された単語情報を含むホームページを検索する検索手段と、
前記検索手段で検索した前記単語情報を含むホームページに関する情報を前記モニタに表示する検索表示手段とを備えるテレビ受信装置。
【請求項３】
請求項１又は２に記載のテレビ受信装置において、
前記切り出し手段は、単語情報の切り出しを、所定のジャンルに属する番組に限定して、行うものであることを特徴とするテレビ受信装置。
【請求項４】
請求項３に記載のテレビ受信装置において、
前記切り出し手段は、単語情報の切り出しを、ニュース番組と報道番組とに限定して、行うものであることを特徴とするテレビ受信装置。
【請求項５】
請求項１から４のいずれかひとつに記載のテレビ受信装置において、
さらに、前記インターネット接続手段によって接続したインターネット上のホームページを閲覧するためのホームページブラウザとを備え、
前記検索手段は、前記ホームページブラウザに対して、前記モニタに表示された単語情報のうち、ユーザが情報選択手段によって選択した単語を検索キーとして、前記インターネット接続手段で接続されたインターネット上の検索エンジンに入力して、前記単語情報を含むホームページを検索することを特徴とするテレビ受信装置。
【発明の詳細な説明】
【０００１】
【発明の属する技術分野】
本発明は、衛星デジタル放送の番組案内情報、あるいは文字多重放送などのテキスト情報から、その情報に基づいてそれに関連する情報が存在するインターネットのホームページを検索し、表示するように構成されたテレビ受信装置に関するものである。
【０００２】
【従来の技術】
インターネット上に存在する情報はホームページ呼ばれる形式でインターネットブラウザによって閲覧することができる。近年インターネット上に公開されているホームページは急速に増加しつつあり、得られる情報も多岐にわたっている。このたくさんの情報の中からユーザが所望の情報を得るためには検索エンジンあるいはディレクトリサービスと呼ばれるインターネット上の情報検索のためのホームページにアクセスして検索を行っていた。
【０００３】
【発明が解決しようとする課題】
しかしながら、上記の従来のインターネットの情報検索は、検索エンジンに煩雑な手続きを施すことによりようやく可能なものであった。また、世の中の流行、すなわちトレンド（最近の流行・傾向・風潮）の最新の情報をインターネットから得るためには、検索のためのキーワードとしてトレンドと思われる言葉をユーザが推定して、自分で入力しなければならず、非常に面倒なことであった。
【０００４】
本発明は、このような事情に鑑みて創案されたものであって、世の中のトレンドを自動的に得るようにして、それを検索キーとして自動的に検索エンジンにかけることにより、トレンド情報の関連するインターネット上のホームページを簡単に閲覧することができるテレビ受信装置を提供することを目的としている。
【０００５】
【課題を解決するための手段】
上記の目的を達成するために、本発明は、番組について、番組内容の概要を表す解説文、出演者を表す出演者情報、番組名の少なくとも１つを含む番組情報を受信する番組情報受信手段と、前記番組情報を記憶する番組情報記憶手段と、前記番組情報記録手段に記録された全ての番組に関する番組情報から解説文を構成する単語、出演者情報、番組名の少なくとも１つを単語情報として切り出す切り出し手段と、前記切り出し手段が切り出した単語情報から単語、出演者情報、及び番組名の少なくとも１つについて、その出現頻度を計数する出現頻度計数手段と、前記出現頻度計数手段で計数した、その出現頻度の高い順に前記単語情報をモニタに表示する表示手段と、インターネットに接続するインターネット接続手段と、前記モニタに表示された単語情報のうち、ユーザが情報選択手段によって選択した単語情報を検索キーとして、前記インターネット接続手段で接続されたインターネット上の検索エンジンに入力して、前記選択された単語情報を含むホームページを検索する検索手段と、前記検索手段で検索した前記単語情報を含むホームページに関する情報を前記モニタに表示する検索表示手段とを備えるテレビ受信装置。
【０００６】
【発明の実施の形態】
本発明に関連する参考実施形態は、映像を表示するモニタと、モニタに表示された情報を選択する情報選択手段と、テキスト情報を入力するテキスト情報入力手段と、前記テキスト情報を記憶しておくテキスト情報記憶手段と、前記記憶されているテキスト情報から単語を切り出す単語切り出し手段と、前記単語切り出し手段が切り出した単語の出現頻度を計数する単語出現頻度計数手段と、その出現頻度に応じて単語情報を管理するトレンド情報管理手段と、電話回線などによりインターネットに接続するインターネット接続手段と、インターネット上のホームページを閲覧するためのホームページブラウザと、前記モニタに表示されているトレンド情報管理手段で管理されているトレンドキーワードから前記情報選択手段で選択されたトレンドキーワードを検索キーとしてインターネット上の検索エンジンに入力する検索キー入力手段とを備える。かかる構成により、テキスト情報の中から出現頻度の高いトレンド単語を自動で抽出し、それを検索エンジンにかけることができ、入力されたテキスト情報において重要な意味合いを持つキーワードについての詳細な関連情報を簡単に閲覧することができる。
次に前記インターネット検索装置において、単語切り出し手段によって切り出された単語のうち類似するもの同士を併合する類似単語併合手段を備え、トレンド情報管理手段はその併合状態での単語情報を出現頻度に応じて管理するものであることが好ましい。かかる構成により、テキスト情報から切り出されたトレンド単語のうち、同じ意味をもつ類似した単語を併合して扱うことができ、より実際のトレンドにあったキーワードを抽出し、関連する情報を簡単に閲覧することができる。
【０００７】
次に本発明の実施形態は、番組について、番組内容の概要を表す解説文、出演者を表す出演者情報、番組名の少なくとも１つを含む番組情報を受信する番組情報受信手段と、前記番組情報を記憶する番組情報記憶手段と、前記番組情報記録手段に記録された全ての番組に関する番組情報から解説文を構成する単語、出演者情報、番組名の少なくとも１つを単語情報として切り出す切り出し手段と、前記切り出し手段が切り出した単語情報から単語、出演者情報、及び番組名の少なくとも１つについて、その出現頻度を計数する出現頻度計数手段と、前記出現頻度計数手段で計数した、その出現頻度の高い順に前記単語情報をモニタに表示する表示手段と、インターネットに接続するインターネット接続手段と、前記モニタに表示された単語情報のうち、情報選択手段で選択された単語情報を検索キーとして、前記インターネット接続手段で接続されたインターネット上の検索エンジンに入力して、前記選択された単語情報を含むホームページを検索する検索手段と、前記検索手段で検索した前記単語情報を含むホームページに関する情報を前記モニタに表示する検索表示手段とを備える。この構成により番組情報を用い、その中から出演者情報、番組の概要情報から単語情報を抽出しているため、トレンドである俳優や歌手などの情報やトピックについての情報をインターネット上から簡単に閲覧することができる。
【０００９】
さらに前記切り出し手段は、単語情報の切り出しを、所定のジャンルに属する番組に限定して、行うものであり、出現頻度計数手段は選別された番組情報の単語情報から単語の出現頻度を計数するように構成されていることが好ましい。かかる構成により、番組情報に記述された番組のジャンルによって単語の出現頻度を計数する元となる番組情報にフィルタをかけるため、トレンドである単語を抽出するための処理時間が軽減される。
【００１０】
本発明に関連する参考実施形態は、文字放送を受信する文字放送受信手段と、受信した文字放送を記憶しておく文字放送記憶手段と、記憶されている文字放送から単語を切り出す単語切り出し手段と、切り出された単語の出現頻度を計数する単語出現頻度計数手段と、その出現頻度に応じて単語情報を管理するトレンド情報管理手段と、電話回線などによりインターネットに接続するインターネット接続手段と、インターネット上のホームページを閲覧するためのホームページブラウザと、前記モニタに表示されているトレンド情報管理手段で管理されているトレンドキーワードから前記情報選択手段で選択されたトレンドキーワードを検索キーとしてインターネット上の検索エンジンに入力する検索キー入力手段とを備え、出現頻度順に従ってトレンド単語情報を検索キーとして入力する。かかる構成により、テキスト情報として文字放送を用いてトレンド単語を抽出しているため、最新のニュースから最新のトレンドであるトピックについての情報をインターネット上から簡単に閲覧することができる。
【００１１】
さらに前記第１〜第３のインターネット検索装置において、テレビ放送受信手段を備えることが好ましい。これにより、テレビ放送の受信とキーワードによるインターネットでの情報検索が可能になる。
また、上記の目的を達成するために、本発明の第１のインターネット検索方法は、コンピュータにより、入力されたテキスト情報から単語を切り出す単語切り出しステップと、前記切り出された単語の出現頻度を計数する単語出現頻度計数ステップと、その出現頻度に応じて単語情報を管理するトレンド情報管理ステップと、前記トレンド情報管理ステップで管理されている単語情報から得られたトレンドキーワードを検索キーとしてインターネット上の検索エンジンに入力する検索キー入力ステップとを備えていることを特徴とする。
更に、上記の目的を達成するために、本発明の第２のインターネット検索方法は、コンピュータにより、番組名、番組放映日時、放送チャンネル、番組出演者、番組ジャンル、番組内容などの番組情報からトレンドキーワードとなる単語を切り出す単語切り出しステッブと、トレンドキーワードとなる単語の出現頻度を計数する単語出現頻度計数ステップと、その出現頻度に応じてトレンドキーワードとなる単語を管理するトレンド情報管理ステップと、前記トレンド情報管理ステップで管理されているトレンドキーワードを検索キーとしてインターネット上の検索エンジンに入力する検索キー入カステップとを備えていることを特徴とする。
【００１２】
以下、本発明に係るインターネット検索装置の実施の形態について、図面に基づいて詳細に説明する。
【００１３】
〔実施の形態１〕
図１は本発明の実施の形態１に係るインターネット検索装置の構成を示すブロック図である。図１において、１０１はテキスト情報が入力されるテキスト情報入力手段、１０２は入力されたテキスト情報が記憶されるテキスト情報記憶手段、１０３は記憶されているテキスト情報から文を構成する各単語の切り出しを行う単語切り出し手段、１０４は切り出された単語の出現頻度をカウントする単語出現頻度計数手段、１０５は類似した単語を併合する類似単語併合手段、１０６はカウントされた単語出現頻度情報を出現頻度に応じて記憶し管理するトレンド情報管理手段、１０７はホームページブラウザに対してトレンドキーワードを検索キーとして与える検索キー入力手段、１０８はインターネットのホームページを表示するためのホームページブラウザ、１０９はインターネットに接続するためのインターネット接続手段、１１０は画面に表示された情報から必要な情報を選択、指定するためのマウスなどに代表される情報選択手段、１１１は映像を映し出すモニタである。テキスト情報入力手段１０１はキーボード、あるいは磁気ディスクなどの記録媒体の読み出し装置、あるいは外部機器などからテキストを入力するための端子などでもよい。また、インターネット接続手段１０９は電話回線を利用したダイアルアップ接続に必要なモデム、またはＴＣＰ／ＩＰ接続に必要なＩ／Ｏ回路のいずれであってもよい。
【００１４】
以上のように構成された実施の形態１のインターネット検索装置の動作を図２および図３に示すフローチャートに従って、以下に説明する。
【００１５】
まず、ＳｔｅｐＡ１ではテキスト情報入力手段１０１からテキスト情報１０が入力されテキスト情報記憶手段１０２に記憶される。入力に当たってはキーボードで入力してもよいし、磁気ディスクなどの記憶媒体から読み出してもよいし、あるいは外部機器などからデータを端子から読み込んでもよい。このテキスト情報１０は図４に示すような通常の文章である。
【００１６】
ＳｔｅｐＡ２〜Ａ７は単語出現頻度計数手段１０４とトレンド情報管理手段１０５の協働によって処理される。ＳｔｅｐＡ２ではテキスト情報記憶手段１０２からテキスト情報１０をメモリ上に読み出す。ＳｔｅｐＡ３でテキスト情報１０より文章を構成する単語キーワードを切り出し、ＳｔｅｐＡ４でその単語キーワードが単語キーワードテーブルにすでに存在しているかどうかを判断する。その単語キーワードが初回に切り出されたものであるときは、まだ単語キーワードテーブルには存在していないから、ＳｔｅｐＡ５に進んで新キーワードとして単語キーワードテーブルに追加する。この単語キーワードテーブルは単語出現頻度計数手段１０４とトレンド情報管理手段１０５とに共通のものとして設定されている。
【００１７】
ＳｔｅｐＡ５において新キーワードとして単語キーワードテーブルに追加された場合、あるいは、取り出した単語キーワードがすでに単語キーワードテーブルに存在している場合、いずれも、ＳｔｅｐＡ６に進んで、その単語キーワードに出現頻度としてのポイントを与える。すなわち、その単語キーワードのカウント値を１だけインクリメントする。次いで、ＳｔｅｐＡ７に進んでこのルーチンにおいてＣＰＵによってまだ読み出されていないテキスト情報１０がテキスト情報記憶手段１０２に存在しているかどうかを判断し、すべてのテキスト情報１０についての読み出し・計数処理が終了していないときはＳｔｅｐＡ２に戻り、以下、同様の処理を繰り返し実行する。以上により、テキスト情報記憶手段１０２に記憶されているすべてのテキスト情報１０から文章を構成する単語の出現回数をカウントする。単語の切り出しについては、自然言語処理の分野では様々な手法が提案されているので、それらのどの方法を用いてもよい。
【００１８】
続いて、ＳｔｅｐＡ８〜Ａ１１において類似単語併合手段１０５は類似単語キーワードのチェックをする。これは、例えば「オウム真理教」と「オウム教団」は同じことがらを表すが、これらがおのおの別の単語として扱われるの防止するためである。類似単語キーワードのチェックは比較するキーワード間で共有する文字列をどのくらい含んでいるかで決定する。ＳｔｅｐＡ８においてキーワードテーブルに存在するキーワードについて類似度を求め、その類似度をもとにＳｔｅｐＡ９で類似単語キーワードが存在するか否かを判断し、存在するときは単語キーワードのマージ（２つ以上のデータを１つに併合すること）の処理を行う。マージ処理では単語キーワードに与えられているポイントの合計も行う。マージ処理が終わるとＳｔｅｐＡ１１に進む。類似単語キーワードが存在しないときもＳｔｅｐＡ１１に進む。ＳｔｅｐＡ１１において類似単語併合手段１０５は単語キーワードテーブルに未処理の単語キーワードがまだ存在しているか否かを判断し、存在しているときはＳｔｅｐＡ８に戻って以下同様の処理を繰り返すが、もう存在しておらず類似単語併合処理が終了したときは、ＳｔｅｐＡ１２に進む。
【００１９】
ＳｔｅｐＡ１２でトレンド情報管理手段１０６は単語キーワードテーブルにおいてポイントすなわち出現頻度の高い順に従って単語キーワードをソートし、その結果に基づいてＳｔｅｐＡ１３においてトレンド情報としてのトレンド単語情報を出現頻度の高い順にモニタ画面１１１に表示する。出現頻度の高いものほど入力されたテキスト情報１０のトレンドといえる。図５はモニタ画面１１１に表示されたトレンド単語の表示画面１１である。トレンド順位の高いものから降順で、トレンド順位番号とトレンド単語とが対になって表示される。
【００２０】
ＳｔｅｐＡ１４ではトレンド単語の表示画面１１から画像部分選択手段１１０によって、表示されているトレンドキーワードから１つをユーザが選択する。画像部分選択手段１１０によるキーワードの選択は、マウスやカーソルキーで画面上のキーワードを指してもよいし、あるいはリモコンの数字キーによってキーワードの番号を指定してもよい。ＳｔｅｐＡ１５ではインターネット接続手段１０９が電話回線あるいは専用線を利用したＴＣＰ／ＩＰ接続により検索エンジンに接続し、ホームページブラウザ１０８が検索エンジンを画面上に表示する。検索エンジンとはディレクトリーサービスとも呼ばれ、世界中のインターネットホームページのうち、ユーザが探したい情報の所在場所を検索してくれるサービスのことである。図６の画面１２は検索エンジンに接続した画面である。次に、ＳｔｅｐＡ１６において検索キー入力手段１０７が、ＳｔｅｐＡ１４で選択されたトレンドキーワードを検索キーとして検索エンジンの検索キーとして入力し検索を行わせる。画面１２では画面１１において検索キーとして「新興宗教」を選択した場合である。ＳｔｅｐＡ１７においてはこの検索の結果をモニタ１１１に表示する。図７の画面１３は検索結果の表示例である。ここでは、検索キー「新興宗教」に対して新興宗教についての情報が存在するＵＲＬ（Uniform Resource Locator。インターネットのホームページの所在を指定するアドレス）が列挙されている。
【００２１】
この画面１３でユーザはＳｔｅｐＡ１８として画面部分選択手段１１０によって画面１３に列挙されているＵＲＬから所望のものを選択する。するとホームページブラウザ１０８とインターネット接続手段１０９はユーザに指定されたＵＲＬに接続し、ＳｔｅｐＡ１９においてそのＵＲＬのホームページを表示する。
【００２２】
本実施の形態１のインターネット検索装置によれば、画面１１に、テキスト情報１０のトレンドキーワードを出現頻度の高い順に一覧的に表示するので、入力したテキスト情報１０の中からその内容を理解する上でポイントとなるキーワードを見つけ出し、さらにそれらのキーワードについてのより詳細な情報のインターネットにおける所在を、自動的に検索を行うことによって取得し、表示することが可能となる。
【００２３】
なお、キーワードの抽出に当たって、本実施の形態１では類似単語併合手段１０５によってＳｔｅｐＡ８〜Ａ１１における類似単語のマージはキーワードの抽出結果において冗長さが減少するという効果が得られるので行なうことが好ましい。
【００２４】
〔実施の形態２〕
図８は本発明の実施の形態２に係るインターネット検索装置の構成を示すブロック図である。図８において、１１２は例えば放送衛星から定期的または不定期的に送信されてくる番組情報を受信する番組情報受信手段、１１３は受信された番組情報が記憶される番組情報記憶手段、１１４は記憶されている番組情報から番組ジャンルがドラマ、歌番組など、時代のトレンドを表すジャンルだけを選別する番組情報選別手段、１１５は選別された番組情報の出演者情報から出演者名を単語として切り出しを行う出演者切り出し手段、１０４は切り出された単語の出現頻度をカウントする単語出現頻度計数手段、１０５は類似した単語を併合する類似単語併合手段、１０６はカウントされた単語出現頻度情報を出現頻度に応じて記憶し管理するトレンド情報管理手段、１０７はホームページブラウザに対してトレンドキーワードを検索キーとして与える検索キー入力手段、１０８はインターネットのホームページを表示するためのホームページブラウザ、１０９はインターネットに接続するためのインターネット接続手段、１１０は画面に表示された情報から必要な情報を選択、指定するためのマウスなどに代表される情報選択手段、１１１は映像を映し出すモニタ、１１６は地上波、衛星波などのテレビ放送を受信するテレビ放送受信手段である。テキスト情報入力手段１０１はキーボード、あるいは磁気ディスクなどの記録媒体の読み出し装置、あるいは外部機器などからテキストを入力するための端子などでもよい。また、インターネット接続手段１０９は電話回線を利用したダイアルアップ接続に必要なモデム、またはＴＣＰ／ＩＰ接続に必要なＩ／Ｏ回路のいずれであってもよい。
【００２５】
以上のように構成された実施の形態２のインターネット検索装置の動作を図９および図１０に示すフローチャートに従って、以下に説明する。
【００２６】
まず、ＳｔｅｐＢ１では番組情報受信手段１１２から番組情報が入力され番組情報記憶手段１１３に記憶される。図１１は多種多様の番組情報のうちで本実施の形態２の場合に必要とされる番組情報を表すとともに、また番組情報記憶手段１１３においてその番組情報を格納している１番組についての番組情報テーブル１４での番組情報格納状態図である。本実施の形態２の場合、番組情報テーブル１４には、個々の番組についての番組名、番組放映日時、放送チャンネル、番組の主要な出演者（氏名）、番組のジャンルが格納されている。ただし、これ以外の番組情報を含むことを除外するものではない。番組情報記憶手段１１３には、上記のような番組情報テーブル１４が非常に多数存在している。
【００２７】
ＳｔｅｐＢ２では番組情報記憶手段１１３から番組情報テーブル１４をメモリ上に読み出しを行う。この読み出しは番組情報テーブルの１つごとに行う。ＳｔｅｐＢ３で番組情報選別手段１１４は読み出した番組情報に対してジャンルのフィルタをかける。すなわち、読み出した番組情報のうちジャンルが時代のトレンドを表すジャンルであるドラマか歌番組となっている番組情報のみを選別する。ＳｔｅｐＢ３でジャンルがドラマと歌番組のいずれかに属しているかどうかを判断し、属していないときは、その番組情報についてＳｔｅｐＢ４以下の処理は放棄してＳｔｅｐＢ２に戻り、次の番組情報テーブルからの番組情報の読み出しに進む（番組情報読み出しのインクリメントを行う）が、属しているときにはＳｔｅｐＢ４に進む。なお、番組情報についてフィルタをかける時代のトレンドを表すジャンルの種類は任意である。ここでは、ドラマと歌番組を一例として取り上げている。
【００２８】
ＳｔｅｐＢ４〜Ｂ８は単語出現頻度計数手段１０４とトレンド情報管理手段１０５の協働によって処理される。ＳｔｅｐＢ４ではＳｔｅｐＢ３でフィルタがかけられた番組情報テーブル１４より出演者の項目の内容（すなわち出演者名）を単語キーワードとして切り出し、ＳｔｅｐＢ５でその単語キーワードが単語キーワードテーブルにすでに存在しているかどうかを判断する。その単語キーワードが初回に切り出されたものであるときは、まだ単語キーワードテーブルには存在していないから、ＳｔｅｐＢ６に進んで新キーワードとして単語キーワードテーブルに追加する。この単語キーワードテーブルは単語出現頻度計数手段１０４とトレンド情報管理手段１０５とに共通のものとして設定されている。
【００２９】
ＳｔｅｐＢ６において新キーワードとして単語キーワードテーブルに追加された場合、あるいは、取り出した単語キーワードがすでに単語キーワードテーブルに存在している場合、いずれも、ＳｔｅｐＢ７に進んで、その単語キーワードに出現頻度としてのポイントを与える。すなわち、その単語キーワードのカウント値を１だけインクリメントする。次いで、ＳｔｅｐＢ８に進んでこのルーチンにおいてＣＰＵによってまだ読み出されていない番組情報テーブル１４が番組情報記憶手段１１３に存在しているかどうかを判断し、すべての番組情報テーブル１４についての読み出し・計数処理が終了していないときはＳｔｅｐＢ２に戻り、以下、同様の処理を繰り返し実行する。以上により、番組情報記憶手段１１３に記憶されているすべての番組情報テーブル１４から出演者名の出現回数をカウントする。
【００３０】
続いて、ＳｔｅｐＢ９〜Ｂ１２において類似単語併合手段１０５は類似単語キーワードのチェックをする。これは、例えば「伊達選手」と「伊達公子」は同じ人物を表すが、これらがおのおの別の単語として扱われるの防止するためである。この類似単語の併合の手順については、第１の実施の形態におけるＳｔｅｐＡ８〜Ａ１１と同一なので説明は省略する。
【００３１】
ＳｔｅｐＢ１３でトレンド情報管理手段１０６は単語キーワードテーブルにおいてポイントすなわち出現頻度の高い順に従って単語キーワードをソートし、その結果に基づいてＳｔｅｐＢ１４においてトレンド情報としてのトレンド単語情報を出現頻度の高い順にモニタ画面１１１に表示する。出現頻度の高い人物ほど現在のトレンドをといえる。図１２はモニタ画面１１１に表示されたトレンド単語（出演者）の表示画面１５である。トレンド順位の高いものから降順で、トレンド順位番号とトレンド単語とが対になって表示される。
【００３２】
ＳｔｅｐＢ１５以降のステップは第１の実施の形態のＳｔｅｐＡ１４〜ＳｔｅｐＡ１９と同一の動作である。すなわち、ＳｔｅｐＢ１５ではトレンド単語の表示画面１５から１つのトレンドキーワードをユーザが選択する。ＳｔｅｐＢ１６ではインターネット接続手段１０９が検索エンジンに接続し、ホームページブラウザ１０８が検索エンジンを画面上に表示する。図１３の画面１６は検索エンジンに接続した画面である。次に、ＳｔｅｐＢ１７において検索キー入力手段１０７が、ＳｔｅｐＢ１５で選択されたトレンドキーワードを検索キーとして検索エンジンの検索キーとして入力し検索を行わせる。画面１６では画面１５において検索キーとして「木村拓哉」を選択した場合である。ＳｔｅｐＢ１８においてはこの検索の結果をモニタ１１１に表示する。図１４の画面１７は検索結果の表示例である。
【００３３】
この画面１７でユーザはＳｔｅｐＢ１９として画面１７に列挙されているＵＲＬから所望のものを選択する。するとホームページブラウザ１０８とインターネット接続手段１０９はユーザに指定されたＵＲＬに接続し、ＳｔｅｐＢ２０においてそのＵＲＬのホームページを表示する。
【００３４】
本実施の形態２のインターネット検索装置によれば、画面１５に示すように、番組情報から得られるトレンドキーワードを出現頻度の高い順に一覧的に表示するので、非常に多数の番組の中から現在世の中で人気の高いトレンド出演者を容易に見つけ出し、さらにそれらの出演者についてのより詳細な情報のインターネットにおける所在を、自動的に検索を行うことによって取得し、表示することが可能となる。
【００３５】
なお、トレンド出演者キーワードの計数に当たって、本実施の形態２では類似単語併合手段１０５によってＳｔｅｐＢ９〜Ｂ１２における類似単語のマージはキーワードの抽出結果において冗長さが減少するという効果が得られるので行なうことが好ましい。
【００３６】
また、ジャンルの選別に当たって、本実施の形態２ではドラマと歌番組としているが、そのほかのジャンルについても、そのジャンルの出演者が時代、世相を反映したトレンドと考えられ得るジャンルについてはトレンドキーワードの計数の対象としてよい。例えば、ドラマと歌番組とバラエティ番組とクイズ番組とニュース番組の中から任意の２つまたは３つ以上のジャンルの組み合わせで選別してもよいし、単に１つのジャンルで選別してもよい。さらには、番組情報選別手段１１４を省略しこのような選別を行わずに、すべてのジャンルにおいて出演者出現頻度をカウントする場合も本発明は実施の形態として含むものとする。
【００３７】
また、番組情報は衛星デジタル放送に限定されるものではなく、地上波による放送やＣＡＴＶ放送であっても良い。
【００３８】
また、テレビ放送受信手段１１６はテレビ放送の受信のために用いられる物であり、本実施の形態２のインターネット検索装置に必須の物ではない。
【００３９】
〔実施の形態３〕
図１５は本発明の実施の形態３に係るインターネット検索装置の構成を示すブロック図である。図１５において、符号の１０３および１１４以外は実施の形態２に係る図８と同一符号は同一構成を示すが、再度説明すると、１１２は番組情報を受信する番組情報受信手段、１１３は受信された番組情報が記憶される番組情報記憶手段、１０４は切り出された単語の出現頻度をカウントする単語出現頻度計数手段、１０５は類似した単語を併合する類似単語併合手段、１０６はカウントされた単語出現頻度情報を出現頻度に応じて記憶し管理するトレンド情報管理手段、１０７はホームページブラウザに対してトレンドキーワードを検索キーとして与える検索キー入力手段、１０８はインターネットのホームページを表示するためのホームページブラウザ、１０９はインターネットに接続するためのインターネット接続手段、１１０は画面に表示された情報から必要な情報を選択、指定する情報選択手段、１１１は映像を映し出すモニタ、１１６は地上波、衛星波などのテレビ放送を受信するテレビ放送受信手段である。本実施の形態が第２の実施の形態と異なるのは、符号１０３が存在する点と、符号１１４の動作が異なる点で、１１４は記録された番組情報から番組ジャンルがニュース、報道など、その番組で取り上げられるトピックが時代のトレンドを表すジャンルだけを選別する番組情報選別手段、１０３は選別された番組情報の内容解説の文から、文を構成する各単語の切り出しを行う単語切り出し手段である。この単語切り出し手段１０３は第１の実施の形態のものと同一である。
【００４０】
以上のように構成された実施の形態３のインターネット検索装置の動作を図１６および図１７に示すフローチャートに従って、以下に説明する。以下の動作は図示しないＣＰＵ（中央演算処理装置）によって制御される。
【００４１】
まず、ＳｔｅｐＣ１では番組情報受信手段１１２から番組情報が入力され番組情報記憶手段１１３に記憶される。図１８は多種多様の番組情報のうちで本実施の形態３の場合に必要とされる番組情報を表すとともに、また番組情報記憶手段１１３においてその番組情報を格納している１番組についての番組情報テーブル１８での番組情報格納状態図である。本実施の形態３の場合、番組情報テーブル１８には、個々の番組についての番組名、番組放映日時、放送チャンネル、番組のジャンル、番組の内容の概略の解説の文が格納されている。ただし、これ以外の番組情報を含むことを除外するものではない。番組情報記憶手段１１３には、上記のような番組情報テーブル１８が非常に多数存在している。
【００４２】
ＳｔｅｐＣ２では番組情報記憶手段１１３から番組情報テーブル１８をメモリ上に読み出しを行う。この読み出しは番組情報テーブルの１つごとに行う。ＳｔｅｐＣ３で番組情報選別手段１１４は読み出した番組情報に対してジャンルのフィルタをかける。すなわち、読み出した番組情報のうち番組の内容が時代のトレンドを表すジャンルであるニュース番組か報道番組となっている番組情報のみを選別する。ＳｔｅｐＣ３でジャンルがニュース番組と報道番組のいずれかに属しているかどうかを判断し、属していないときは、その番組情報についてＳｔｅｐＣ４以下の処理は放棄してＳｔｅｐＣ２に戻り、次の番組情報テーブルからの番組情報の読み出しに進む（番組情報読み出しのインクリメントを行う）が、属しているときにはＳｔｅｐＣ４に進む。なお、番組情報についてフィルタをかける時代のトレンドを表すジャンルの種類は任意である。ここでは、ニュースと報道番組を一例として取り上げている。
【００４３】
ＳｔｅｐＣ４〜Ｃ８は単語出現頻度計数手段１０４とトレンド情報管理手段１０５の協働によって処理される。ＳｔｅｐＣ４ではＳｔｅｐＣ３でフィルタがかけられた番組情報テーブル１８のうちの番組の内容の概要を説明した文章より単語キーワードとして切り出し、ＳｔｅｐＣ５でその単語キーワードが単語キーワードテーブルにすでに存在しているかどうかを判断する。その単語キーワードが初回に切り出されたものであるときは、まだ単語キーワードテーブルには存在していないから、ＳｔｅｐＣ６に進んで新キーワードとして単語キーワードテーブルに追加する。この単語キーワードテーブルは単語出現頻度計数手段１０４とトレンド情報管理手段１０５とに共通のものとして設定されている。単語の切り出しの手法は自然言語処理の世界では様々な手法が提案されているので、それらのうちのいずれでもよい。
【００４４】
ＳｔｅｐＣ６において新キーワードとして単語キーワードテーブルに追加された場合、あるいは、取り出した単語キーワードがすでに単語キーワードテーブルに存在している場合、いずれも、ＳｔｅｐＣ７に進んで、その単語キーワードに出現頻度としてのポイントを与える。すなわち、その単語キーワードのカウント値を１だけインクリメントする。次いで、ＳｔｅｐＣ８に進んでこのルーチンにおいてＣＰＵによってまだ読み出されていない番組情報テーブル１８が番組情報記憶手段１１３に存在しているかどうかを判断し、すべての番組情報テーブル１８についての読み出し・計数処理が終了していないときはＳｔｅｐＣ２に戻り、以下、同様の処理を繰り返し実行する。以上により、番組情報記憶手段１１３に記憶されているすべての番組情報テーブル１８から単語名の出現回数をカウントする。
【００４５】
続いて、ＳｔｅｐＣ９〜Ｃ１２において類似単語併合手段１０５は類似単語キーワードのチェックをする。これは、例えば「オウム教団」と「オウム真理教」は同じものを表すが、これらがおのおの別の単語として扱われるの防止するためである。この類似単語の併合の手順については、第１の実施の形態におけるＳｔｅｐＡ８〜Ａ１１と同一なので説明は省略する。
【００４６】
ＳｔｅｐＣ１３でトレンド情報管理手段１０６は単語キーワードテーブルにおいてポイントすなわち出現頻度の高い順に従って単語キーワードをソートし、その結果に基づいてＳｔｅｐＣ１４においてトレンド情報としてのトレンド単語情報を出現頻度の高い順にモニタ画面１１１に表示する。出現頻度の高い単語ほど現在のトレンドをといえる。図１９はモニタ画面１１１に表示されたトレンド単語の表示画面１９である。トレンド順位の高いものから降順で、トレンド順位番号とトレンド単語とが対になって表示される。
【００４７】
ＳｔｅｐＣ１５以降のステップは第１の実施の形態のＳｔｅｐＡ１４〜ＳｔｅｐＡ１９と同一の動作である。すなわち、ＳｔｅｐＣ１５ではトレンド単語の表示画面１９から１つのトレンドキーワードをユーザが選択する。ＳｔｅｐＣ１６ではインターネット接続手段１０９が検索エンジンに接続し、ホームページブラウザ１０８が検索エンジンを画面上に表示する。図２０の画面２０は検索エンジンに接続した画面である。次に、ＳｔｅｐＣ１７において検索キー入力手段１０７が、ＳｔｅｐＣ１５で選択されたトレンドキーワードを検索キーとして検索エンジンの検索キーとして入力し検索を行わせる。画面２０では画面１９において検索キーとして「野茂」を選択した場合である。ＳｔｅｐＣ１８においてはこの検索の結果をモニタ１１１に表示する。図２１の画面２１は検索結果の表示例である。
【００４８】
この画面２１でユーザはＳｔｅｐＣ１９として画面２１に列挙されているＵＲＬから所望のものを選択する。するとホームページブラウザ１０８とインターネット接続手段１０９はユーザに指定されたＵＲＬに接続し、ＳｔｅｐＣ２０においてそのＵＲＬのホームページを表示する。
【００４９】
本実施の形態３のインターネット検索装置によれば、画面１９に、番組情報から得られるトレンドキーワードを出現頻度の高い順に一覧的に表示するので、非常に多数の番組の中から現在世の中で人気の高いトピックを容易に見つけ出し、さらにそれらのトピックについてのより詳細な情報のインターネットにおける所在を、自動的に検索を行うことによって取得し、表示することが可能となる。
【００５０】
なお、トレンドキーワードの計数に当たって、本実施の形態３では類似単語併合手段１０５によってＳｔｅｐＣ９〜Ｃ１２における類似単語のマージはキーワードの抽出結果において冗長さが減少するという効果が得られるので行なうことが好ましい。
【００５１】
また、ジャンルの選別に当たって、本実施の形態３ではニュースと報道番組としているが、そのほかのジャンルについても、そのジャンルのトピックが時代、世相を反映したトレンドと考えられ得るジャンルについてはトレンドキーワードの計数の対象としてよい。例えば、報道番組とニュース番組とバラエティ番組とクイズ番組の中から任意の２つまたは３つ以上のジャンルの組み合わせで選別してもよいし、単に１つのジャンルで選別してもよい。さらには、番組情報選別手段１１４を省略しこのような選別を行わずに、すべてのジャンルにおいて出演者出現頻度をカウントする場合も本発明は実施の形態として含むものとする。
【００５２】
また、番組情報は衛星デジタル放送に限定されるものではなく、地上波による放送やＣＡＴＶ放送であっても良い。
【００５３】
また、テレビ放送受信手段１１６はテレビ放送の受信のために用いられる物であり、本実施の形態３のインターネット検索装置に必須の物ではない。
【００５４】
〔実施の形態４〕
図２２は本発明の実施の形態４に係るインターネット検索装置の構成を示すブロック図である。図２２において、符号の１０３から１１１までは実施の形態１に係る図１と同一符号は同一構成を示すが、再度説明すると、１０３は記憶されている文字放送のテキスト情報から文を構成する各単語の切り出しを行う単語切り出し手段、１０４は切り出された単語の出現頻度をカウントする単語出現頻度計数手段、１０５は類似した単語を併合する類似単語併合手段、１０６はカウントされた単語出現頻度情報を出現頻度に応じて記憶し管理するトレンド情報管理手段、１０７はホームページブラウザに対してトレンドキーワードを検索キーとして与える検索キー入力手段、１０８はインターネットのホームページを表示するためのホームページブラウザ、１０９はインターネットに接続するためのインターネット接続手段、１１０は画面に表示された情報から必要な情報を選択、指定する情報選択手段、１１１は映像を映し出すモニタである。
【００５５】
本実施の形態が第１の実施の形態と異なるのは、符号１１６から１１８が存在する点で、１１６は地上波、衛星波などのテレビ放送を受信するテレビ放送受信手段であり、１１７は文字多重放送を受信する文字放送受信手段であり、１１８は受信した文字放送のテキスト情報を記憶する文字放送記憶手段である。
【００５６】
以上のように構成された実施の形態４のインターネット検索装置の動作を図２３および図２４に示すフローチャートに従って、以下に説明する。
【００５７】
まず、ＳｔｅｐＤ１では文字放送受信手段１１７から文字放送のテキスト情報が入力され文字放送記憶手段１１８に記憶される。図２５は文字放送の一例で、文字放送の一つのコンテンツ２２である。文字放送記憶手段１１８には、上記のようなコンテンツ２２が非常に多数存在している。ＳｔｅｐＤ２では文字放送記憶手段１１８からコンテンツ２２をメモリ上に読み出しを行う。
【００５８】
ＳｔｅｐＤ３〜Ｄ７は単語出現頻度計数手段１０４とトレンド情報管理手段１０５の協働によって処理される。ＳｔｅｐＤ３ではＳｔｅｐＤ２で読み出されたコンテンツ２２より単語キーワードを切り出し、ＳｔｅｐＤ４でその単語キーワードが単語キーワードテーブルにすでに存在しているかどうかを判断する。その単語キーワードが初回に切り出されたものであるときは、まだ単語キーワードテーブルには存在していないから、ＳｔｅｐＤ５に進んで新キーワードとして単語キーワードテーブルに追加する。この単語キーワードテーブルは単語出現頻度計数手段１０４とトレンド情報管理手段１０５とに共通のものとして設定されている。単語の切り出しの手法は自然言語処理の世界では様々な手法が提案されているので、それらのうちのいずれでもよい。
【００５９】
ＳｔｅｐＤ５において新キーワードとして単語キーワードテーブルに追加された場合、あるいは、取り出した単語キーワードがすでに単語キーワードテーブルに存在している場合、いずれも、ＳｔｅｐＤ６に進んで、その単語キーワードに出現頻度としてのポイントを与える。すなわち、その単語キーワードのカウント値を１だけインクリメントする。次いで、ＳｔｅｐＤ７に進んでこのルーチンにおいてＣＰＵによってまだ読み出されていないコンテンツ２２が文字放送記憶手段１１８に存在しているかどうかを判断し、すべてのコンテンツ２２についての読み出し・計数処理が終了していないときはＳｔｅｐＤ２に戻り、以下、同様の処理を繰り返し実行する。以上により、文字放送記憶手段１１８に記憶されているすべてのコンテンツ２２から単語名の出現回数をカウントする。
【００６０】
続いて、ＳｔｅｐＤ８〜Ｄ１１において類似単語併合手段１０５は類似単語キーワードのチェックをする。これは、例えば「オウム教団」と「オウム真理教」は同じものを表すが、これらがおのおの別の単語として扱われるの防止するためである。この類似単語の併合の手順については、第１の実施の形態におけるＳｔｅｐＡ８〜Ａ１１と同一なので説明は省略する。
【００６１】
ＳｔｅｐＤ１２でトレンド情報管理手段１０６は単語キーワードテーブルにおいてポイントすなわち出現頻度の高い順に従って単語キーワードをソートし、その結果に基づいてＳｔｅｐＤ１３においてトレンド情報としてのトレンド単語情報を出現頻度の高い順にモニタ画面１１１に表示する。出現頻度の高い単語ほど現在のトレンドをといえる。図２６はモニタ画面１１１に表示されたトレンド単語の表示画面２３である。トレンド順位の高いものから降順で、トレンド順位番号とトレンド単語とが対になって表示される。
【００６２】
ＳｔｅｐＤ１４以降のステップは第１の実施の形態のＳｔｅｐＡ１４〜ＳｔｅｐＡ１９と同一の動作である。すなわち、ＳｔｅｐＤ１４ではトレンド単語の表示画面２３から１つのトレンドキーワードをユーザが選択する。ＳｔｅｐＤ１５ではインターネット接続手段１０９が検索エンジンに接続し、ホームページブラウザ１０８が検索エンジンを画面上に表示する。図２７の画面２４は検索エンジンに接続した画面である。次に、ＳｔｅｐＤ１６において検索キー入力手段１０７が、ＳｔｅｐＤ１４で選択されたトレンドキーワードを検索キーとして検索エンジンの検索キーとして入力し検索を行わせる。画面２４では画面２３において検索キーとして「松下電器」を選択した場合である。ＳｔｅｐＤ１７においてはこの検索の結果をモニタ１１１に表示する。図２８の画面２５は検索結果の表示例である。
【００６３】
この画面２５でユーザはＳｔｅｐＤ１８として画面２５に列挙されているＵＲＬから所望のものを選択する。するとホームページブラウザ１０８とインターネット接続手段１０９はユーザに指定されたＵＲＬに接続し、ＳｔｅｐＤ１９においてそのＵＲＬのホームページを表示する。
【００６４】
本実施の形態４のインターネット検索装置によれば、画面２３に、文字放送から得られたトレンドキーワードを出現頻度の高い順に一覧的に表示するので、現在世の中でトレンドトピックを容易に見つけ出し、さらにそれらのトピックについてのより詳細な情報のインターネットにおける所在を、自動的に検索を行うことによって取得し、表示することが可能となる。
【００６５】
なお、トレンドキーワードの計数に当たって、本実施の形態４では類似単語併合手段１０５によってＳｔｅｐＤ８〜Ｄ１１における類似単語のマージはキーワードの抽出結果において冗長さが減少するという効果が得られるので行なうことが好ましい。
【００６６】
また、本実施の形態４では図２６の画面２３においてキーワードを選択するとそのキーワードで検索を開始したが、検索を開始する前に一旦選択されたキーワードが含まれるコンテンツを表示してもよい。図２９はその様子を示したもので、画面２６は画面２３において「松下電器」が選択された場合で、「松下電器」が含まれるコンテンツを示している。画面２６ではトレンドキーワードとして上位のトレンドを示している単語は四角形で囲まれている（松下電器、マルチメディア、ヒューレット・マイクロシステム社）。この場合、ユーザがこれらの四角形で囲まれているトレンドキーワードを選択すると、図２７で示した画面２４のように検索を開始させる。
【００６７】
【発明の効果】
本発明は、番組情報から切り出した単語情報（解説文を構成する単語、出演者情報、番組名の少なくとも１つ）の出現頻度を計数し、出現頻度の高い単語情報でインターネットの検索をおこなうので、非常に多数のインターネットの情報の中から世の中で人気の高いトレンドに係る要素が関係している情報を容易に見つけ出すことができる。
【図面の簡単な説明】
【図１】実施形態１のインターネット検索装置の構成を示すブロック図
【図２】実施形態１のインターネット検索装置の動作を説明するフローチャート
【図３】実施形態１のインターネット検索装置の動作を説明するフローチャート
【図４】実施形態１のテキスト情報を示す図
【図５】実施形態１のトレンドキーワードの表示状態図
【図６】実施形態１のインターネット検索エンジンの表示状態図
【図７】実施形態１のインターネット検索エンジンの検索結果の表示状態図
【図８】実施形態２のインターネット検索装置の構成を示すブロック図
【図９】実施形態２のインターネット検索装置の動作を説明するフローチャート
【図１０】実施形態２のインターネット検索装置の動作を説明するフローチャート
【図１１】実施形態２の受信する番組情報テーブル
【図１２】実施形態２のトレンドキーワードの表示状態図
【図１３】実施形態２のインターネット検索エンジンの表示状態図
【図１４】実施形態２のインターネット検索エンジンの検索結果の表示状態図
【図１５】実施形態３のインターネット検索装置の構成を示すブロック図
【図１６】実施形態３のインターネット検索装置の動作を説明するフローチャート
【図１７】実施形態３のインターネット検索装置の動作を説明するフローチャート
【図１８】実施形態３の受信する番組情報テーブルを示す図
【図１９】実施形態３のトレンドキーワードの表示状態図
【図２０】実施形態３のインターネット検索エンジンの表示状態図
【図２１】実施形態３のインターネット検索エンジンの検索結果の表示状態図
【図２２】実施形態４のインターネット検索装置の構成を示すブロック図
【図２３】実施形態４のインターネット検索装置の動作を説明するフローチャート
【図２４】実施形態４のインターネット検索装置の動作を説明するフローチャート
【図２５】実施形態４の受信する文字放送のコンテンツを示す図
【図２６】実施形態４のトレンドキーワードの表示状態図
【図２７】実施形態４のインターネット検索エンジンの表示状態図
【図２８】実施形態４のインターネット検索エンジンの検索結果の表示状態図
【図２９】実施形態４の文字放送コンテンツ中のトレンドキーワードの表示状態図
【符号の説明】
１０  テキスト情報
１４，１８  番組情報テーブル
２２  文字放送コンテンツ
１１，１２，１３，１５，１６，１７，１９，２０，２１，２３，２４，２５，２６  画面
１０１  テキスト情報入力手段
１０２  テキスト情報記憶手段
１０３  単語切り出し手段
１０４  単語出現頻度計数手段
１０５  類似単語併合手段
１０６  トレンド情報管理手段
１０７  検索キー入力手段
１０８  ホームページブラウザ
１０９  インターネット接続手段
１１０  情報選択手段
１１１  モニタ
１１２  番組情報受信手段
１１３  番組情報記憶手段
１１４  番組情報選別手段
１１５  出演者切り出し手段
１１６  テレビ放送受信手段
１１７  文字放送受信手段
１１８  文字放送記憶手段
【図１】
0003878694.tif 000002
【図２】
0003878694.tif 000003
【図３】
0003878694.tif 000004
【図４】
0003878694.tif 000005
【図５】
0003878694.tif 000006
【図６】
0003878694.tif 000007
【図７】
0003878694.tif 000008
【図８】
0003878694.tif 000009
【図９】
0003878694.tif 000010
【図１０】
0003878694.tif 000011
【図１１】
0003878694.tif 000012
【図１２】
0003878694.tif 000013
【図１３】
0003878694.tif 000014
【図１４】
0003878694.tif 000015
【図１５】
0003878694.tif 000016
【図１６】
0003878694.tif 000017
【図１７】
0003878694.tif 000018
【図１８】
0003878694.tif 000019
【図１９】
0003878694.tif 000020
【図２０】
0003878694.tif 000021
【図２１】
0003878694.tif 000022
【図２２】
0003878694.tif 000023
【図２３】
0003878694.tif 000024
【図２４】
0003878694.tif 000025
【図２５】
0003878694.tif 000026
【図２６】
0003878694.tif 000027
【図２７】
0003878694.tif 000028
【図２８】
0003878694.tif 000029
【図２９】
0003878694.tif 000030